(57)【要約】【課題】制御信号を中継再生する端末機が停電や意図的に電源が供給されない場合においても中継再生する回路及び最低限必要な回路に電源を他端末機より電源受電回路を通じて受電することでデジタル信号を中継再生することが可能なデジタル式ドアホン装置を提供する。【解決手段】少なくとも２台以上の各端末機は内部電源の電圧レベルを監視し、電圧レベルが所定の閾値以下になったときに検出信号を生成する電圧検出回路１０２と検出信号に基づいて他の端末機からの電源供給を受電するための電源受電回路１０６、１０７を選択するための電源選択回路１０４と電圧検出回路および電源選択回路をそれぞれ動作させるための電源が充電される蓄電部１０３と検出信号によりユーザインターフェースへの動作クロックまたは電源供給をＯＮ／ＯＦＦするクロック・電源スイッチ回路１１２と検出信号を受信して電源受電回路の選択を制御するためのＣＰＵ１１８とを備える。【選択図】図１
2007267321.tif 000002
【特許請求の範囲】
【請求項１】
少なくとも２台以上の端末機（１２２、１２３、１２４）が伝送路（１２５、１２６）を経由して順次接続され、相互間でデジタル信号の送受信を行って中継再生するとともに、各端末機は商用電源（１２７）から内部電源を自供給するデジタル式ドアホン装置であって、
各端末機は、内部電源の電圧レベルを監視し、前記電圧レベルが所定の閾値以下になったときに検出信号を生成する電圧検出回路（１０２）と、前記検出信号に基づいて自端末機が他の端末機に接続されている伝送路からの電源供給を受電するための電源受電回路（１０６、１０７）を選択するための電源選択回路（１０４）と、前記電圧検出回路および前記電源選択回路をそれぞれ動作させるための電源が充電される蓄電部（１０３）と、前記検出信号により各端末機のユーザインターフェース（１１３、１１４、１１５、１１６、１１７）への動作クロック供給または電源供給をＯＮ／ＯＦＦするクロック・電源スイッチ回路（１１２）と、前記検出信号を受信して前記電源受電回路の選択を制御するためのＣＰＵ（１１８）とを備えることを特徴とするデジタル式ドアホン装置。
【請求項２】
各端末機は、自端末機に接続されている他の端末機の機種を判別するためのデータ及び前記自端末機にて消費される電力の数値データを記憶する記憶部（１１９）を備え、前記記憶部に記憶されたデータを検出した前記ＣＰＵの制御により前記電源受電回路に接続された複数の他の端末機のなかから１つの他の端末機を選択して電源を受電することを特徴とする請求項１記載のデジタル式ドアホン装置。
【発明の詳細な説明】
【技術分野】
【０００１】
本発明は、デジタル式ドアホン装置に係わり、特に制御信号を中継再生する端末が停電や電源ブレーカが落とされて意図的に電源が供給されない場合において、中継再生する回路及び最低限必要な回路に電源を他端末より受電回路を通じて受電することで、デジタル信号を中継再生することができるデジタル式ドアホン装置に関する。
【背景技術】
【０００２】
従来から、複数の中継器と複数の端末を渡り配線によりシリーズに接続して信号を中継再生する装置が知られている（例えば、特許文献１参照）。
【０００３】
特許文献１に記載の装置では、図１に示されるように主装置１、中継器２１、２２、端末３１〜３ｊ間は伝送線によって渡り配線で接続されている。即ち、主装置１と中継器２１、中継器２１と中継器２２とは伝送線４１、４２によって渡り配線で接続され、中継器２１と端末３１、端末３１と端末３２はそれぞれ伝送線５１、５２によって渡り配線で接続され、以下、端末３２、・・・、３ｉは順次伝送線５３、・・・、５ｉによって渡り配線で接続されている。同様に、中継器２２と端末３（ｉ＋１）、端末３（ｉ＋１）と端末３（ｉ＋２）はそれぞれ伝送線５（ｉ＋１）、５（ｉ＋２）により渡り配線で接続され、以下端末３（ｉ＋２）、・・・、３ｊは順次伝送線５（ｉ＋２）、・・・、５ｊにより渡り配線で接続されている。
【０００４】
このような信号中継再生装置を有するデジタル式ドアホン装置に関してさらに詳細な例を示すと従来から図２のようなシステム構成が知られている。
【０００５】
図２に示すような従来のデジタル式ドアホン装置における動作を説明すると、端末機（Ｄ）２０１より端末機（Ｃ）２０４へ呼出信号なる制御信号をクロックに重畳して送信した場合、端末機（Ｄ）２０１より送出された制御信号は、トランシーバ回路２３０を通り伝送路２２７を経由して、端末機（Ａ）２０２のトランシーバ回路２０５で受信された後、通信処理回路２０９内にある、ＣＤＲ（クロック・データ・リカバリー）回路（１Ａ）２０７にて、波形整形とクロックが再生された後、トランシーバ回路２０６を通り伝送路２２８に送出される。
【０００６】
伝送路２２８に送出された制御信号は、端末機（Ｂ）２０３のトランシーバ回路２１２で受信された後、通信処理回路２１４内にある、ＣＤＲ回路（１Ｂ）２１５にて、波形整形とクロックが再生された後、トランシーバ回路２１３を通り伝送路２２９に送出される。
【０００７】
伝送路２２９に送出された制御信号は、端末機（Ｃ）２０４のトランシーバ回路２１８で受信された後、通信処理回路２２２内にある、ＣＤＲ回路（１Ｃ）２２１にて、波形整形とクロックが再生された後、ＣＰＵ―Ｃ２２３で制御信号を受信し、呼出信号として認識する。
【０００８】
なお、各端末機（Ａ）、（Ｂ）、（Ｃ）の通信処理回路２０９、２１４、２２２には上記で説明した端末機（Ａ）のＣＤＲ回路（１Ａ）２０７の他にＣＤＲ回路（２Ａ）２０８、端末機（Ｂ）のＣＤＲ回路（１Ｂ）２１５、ＣＤＲ回路（２Ｂ）２１６、端末機（Ｃ）のＣＤＲ回路（１Ｃ）２２１、ＣＤＲ回路（２Ｃ）２２０がそれぞれ設置されており、また交流電源を直流電源に変換するＡＣ−ＤＣ回路２１０、２１７、２２４がそれぞれ設置されている。
【０００９】
さらに、端末機（Ａ）、（Ｂ）にはやはりＣＰＵ−Ａ２２６、ＣＰＵ−Ｂ２２５が上記した端末機（Ｃ）のＣＰＵ−Ｃ２２３と同様に設置されている。その他端末機（Ｂ）には伝送路２２８と２２９との間に端末機（Ｂ）に電源供給されなかった時に伝送路をスルーするためのバイパススイッチ（Ｓｗ）回路２１１が設置され、端末機（Ｃ）にはトランシーバ回路２１９も設置されている。
【００１０】
以上のように従来のデジタル式ドアホン装置は複数の端末が渡り配線によりシリーズに接続され、信号が中継再生されるようになっていた。
【００１１】
【特許文献１】特開平２００１−２８５５００号公報  （図１）
【発明の開示】
【発明が解決しようとする課題】
【００１２】
しかしながら、このような従来のデジタル式ドアホン装置は、各々の電源でデジタル信号を中継再生し次端末へ送出していたため、利用しない部屋に設置された端末などは、電源ブレーカが落とされる等により、電源が供給されない場合がある。
【００１３】
その場合、その端末が電源が供給されないことにより動作しなくなることは必然的だが、各端末は中継点としての役割があるため、何らかの原因で動作しなくなった端末以降に設置された各端末はデジタル信号が送出されなくなり、すべて動作しなくなるという不都合があった。
【００１４】
従来、上記の問題を解決する手段として、電源を供給されない端末はリレーや半導体スイッチにて伝送路をスルーさせるということなども考えられているが、通信距離が著しく短くなり長距離通信が不可能であった。
【００１５】
本発明は、制御信号を中継再生する端末機が停電や意図的に電源が供給されない場合においても、中継再生する回路及び最低限必要な回路に電源を他端末機より電源受電回路を通じて受電することで、デジタル信号を中継再生することが可能なデジタル式ドアホン装置を提供することを目的としている。
【課題を解決するための手段】
【００１６】
上記課題を解決するために本発明のデジタル式ドアホン装置の第１の態様は、少なくとも２台以上の端末機が伝送路を経由して順次接続され、相互間でデジタル信号の送受信を行って中継再生するとともに、各端末機は商用電源から内部電源を自供給するデジタル式ドアホン装置であって、各端末機は、内部電源の電圧レベルを監視し、電圧レベルが所定の閾値以下になったときに検出信号を生成する電圧検出回路と、検出信号に基づいて自端末機が他の端末機に接続されている伝送路からの電源供給を受電するための電源受電回路を選択するための電源選択回路と、電圧検出回路および前記電源選択回路をそれぞれ動作させるための電源が充電される蓄電部と、検出信号により各端末機のユーザインターフェースへの動作クロックまたは電源供給をＯＮ／ＯＦＦするクロック・電源スイッチ回路と、検出信号を受信して電源受電回路の選択を制御するためのＣＰＵとを備えることを特徴とする。
【００１７】
また、本発明のデジタル式ドアホン装置の第２の態様は、第１の態様において、各端末機は、自端末機に接続されている他の端末機の機種を判別するためのデータ及び自端末機にて消費される電力の数値データを記憶する記憶部を備え、記憶部に記憶されたデータを検出したＣＰＵの制御により電源受電回路に接続された複数の他の端末機のなかから１つの他の端末機を選択して電源を受電することを特徴とする。
【発明の効果】
【００１８】
本発明のデジタル式ドアホン装置の第１の態様によれば、制御信号を中継再生する端末が、停電や意図的に電源が供給されない場合においても、中継再生する回路及び最低限必要な回路に電源を他端末より受電回路を通じて受電することで、デジタル信号を中継再生することができる。
【００１９】
また、本発明のデジタル式ドアホン装置の第２の態様によれば、自端末機の消費電力の数値データや自端末機に接続されている他の端末機の機器種別データが記憶部に保存されているので、これらのデータを読み込んだＣＰＵから他の端末機のうち電源供給に余裕のある端末機より電源供給ができるように電源選択回路に指示することによって電源を受電することができる。
【発明を実施するための最良の形態】
【００２０】
以下、本発明のデジタル式ドアホン装置の好ましい実施の形態について図面を参照して詳述する。
【００２１】
図１は本発明の一実施の形態を説明するためのシステム構成図である。図１のようなシステムでは、複数の端末機、端末機（Ａ）１２３、端末機（Ｂ）１２２、端末機（Ｃ）１２４が伝送路１２５、１２６により接続されている。各端末機はそれぞれ商用電源より電源（ＡＣ１００Ｖ）が供給されている。
【００２２】
この各端末機のうち一例として端末機（Ｂ）１２２の内部構成と接続関係を示すと、商用電源１２７（ＡＣ１００Ｖ）より、直流電源を作り出すＡＣ−ＤＣ回路１０１が電圧の低下を検出するための電圧検出回路１０２、電圧低下時に電圧検出回路１０２や電源選択回路１０４に電源供給を可能にする蓄電部１０３に接続されており、またこの蓄電部１０３は電圧検出回路１０２とも接続されている。
【００２３】
電圧検出回路１０２は他の端末機のうちどの端末機から電源を受電するかを選択する電源選択回路１０４、後述するユーザインターフェースへの動作クロックや電源供給をＯＮ／ＯＦＦするためのクロック・電源スイッチ回路１１２、端末機内の各種動作を制御するＣＰＵ１１８に接続されている。また、蓄電部１０３も電源選択回路１０４と接続されている。
【００２４】
電源選択回路１０４は他の端末機からの電源を受電する電源受電回路（ａ）１０６、電源受電回路（ｂ）１０７に接続されているとともに、端末機内の各部、各回路に電源を供給するための電源供給回路１０５、ＣＰＵ１１８にも接続されている。さらに電源供給回路１０５はデータまたは制御信号を送受信するためのトランシーバ（ａ）１２１、トランシーバ（ｂ）１２０、送受信した信号に基づいてエラーチェック、波形整形を行うための通信処理回路１０８およびＣＰＵ１１８に接続されている。
【００２５】
通信処理回路１０８には信号からクロックとデータを波形再生するためのＣＤＲ回路（ｘ）１０９およびＣＤＲ回路（ｙ）１１０が設けられており、これら二つのＣＤＲ回路はそれぞれトランシーバ（ａ）１２１、トランシーバ（ｂ）１２０に接続されている。
【００２６】
また通信処理回路１０８は端末機内の各部、各回路間の処理の同期を取るためのクロック１１１、クロック・電源スイッチ回路１１２と接続されており、クロック・電源スイッチ回路１１２はユーザインターフェースである画像記憶部（ＶＲＡＭ）１１３、画像処理回路１１４、音声処理回路１１５、画像表示制御部（ＬＣＤコントローラ）１１６、スピーカ／マイク（ＳＰ／ＭＩＣ）アンプ１１７とそれぞれ接続されている。なお、ＣＰＵ１１８は他の端末機の機種を判別するためのデータ及び自端末機にて消費される電力の数値データを記憶するための記憶部１１９と接続されている。
【００２７】
次に、このような図１に示すシステム構成における端末機（Ｂ）の動作を説明する。
【００２８】
まず商用電源１２７（ＡＣ１００Ｖ）より電源が供給されるが、直流電源を作り出しているＡＣ−ＤＣ回路１０１の電圧監視をしている電圧検出回路１０２において電圧が閾値以下になり、電源が遮断もしくは電圧が低下したことを検出すると、電源選択回路１０４を通じて、端末機（Ａ）１２３もしくは端末機（Ｃ）１２４より、電源受電回路（ａ）１０６もしくは電源受電回路（ｂ）１０７から電源供給を受け電源が電源供給回路１０５に供給される。
【００２９】
なお、本実施の形態では電圧を電圧検出回路１０２で検出をしているが、電流を電圧に変換したものを検出してもよく、特に限定されるものではない。
【００３０】
ここで、電源供給回路１０５と電圧検出回路１０２からの指示において、クロック・電源スイッチ回路１１２が制御され、必要以上に電力が消費されないように通信に不必要な回路ブロックである画像記憶部（ＶＲＡＭ）１１３、画像表示制御部（ＬＣＤコントローラ）１１６、スピーカ／マイク（ＳＰ／ＭＩＣ）アンプ１１７、画像処理回路１１４、音声処理回路１１５のユーザインターフェースには電源またはクロックが供給されないようにする。その後、電圧レベルが閾値を超えたならばこれらの回路ブロックに再び電源またはクロックが供給されるようにするとよい。
【００３１】
そして、電源供給回路１０５より電源供給された通信処理回路１０８内にある、ＣＤＲ回路（ｘ）１０９、ＣＤＲ回路（ｙ）１１０にも電源が供給され、また、トランシーバ（ａ）１２１、トランシーバ（ｂ）１２０にも電源が供給されることによって、端末機（Ａ）１２３からの制御信号を、波形整形、クロックを保障して、次の端末機（Ｃ）１２４に中継再生することができる。
【００３２】
なお蓄電部１０３は、電圧が所定の閾値以下に低下した場合に電圧検出回路および電源選択回路も動作しなくなると他の端末機からの電源供給を受電する際に不都合が生じるために、電源が遮断若しくは電圧が低下した場合でもそれぞれの回路を動作させるための電源が供給されるように充電され、蓄電されるようになっている。
【００３３】
さらに、自端末機の消費電力の数値データや自端末機に接続されている他の端末機の機器種別データが保存されている例えば不揮発性ＲＯＭなどから構成される記憶部１１９からＣＰＵ１１８がこれらのデータを読み込み、通信処理回路１０８を通じて、端末機（Ａ）１２３、端末機（Ｃ）１２４と通信を行い、電源供給に余裕のある端末機より電源供給ができるように、ＣＰＵ１１８が電源選択回路１０４に指示することによって電源を受電することも可能である。
【００３４】
上記実施の形態では３台の端末機による例を説明したが、端末機の台数は特に制限はなく、複数の端末機が順次シリーズに接続されたものであれば本発明を適用することができる。
【図面の簡単な説明】
【００３５】
【図１】本発明によるデジタル式ドアホン装置のシステム構成図である。
【図２】従来のデジタル式ドアホン装置のシステム構成図である。
【符号の説明】
【００３６】
１０２          電圧検出回路
１０３          蓄電部
１０４          電源選択回路
１０６          電源受電回路（ａ）
１０７          電源受電回路（ｂ）
１１２          クロック・電源スイッチ回路
１１３          画像記憶部
１１４          画像処理回路
１１５          音声処理回路
１１６          画像表示制御部
１１７          スピーカ／マイクアンプ
１１８          ＣＰＵ
１１９          記憶部
１２２          端末機（Ｂ）
１２３          端末機（Ａ）
１２４          端末機（Ｃ）
１２５          伝送線
１２６          伝送線
１２７          商用電源
【図１】
2007267321.tif 000003
【図２】
2007267321.tif 000004